(57)【要約】【課題】  短いリードスクリューで移動量を確保することで、レンズ鏡筒の小型化を提供すること。【解決手段】  そこで、駆動手段３００は、駆動手段の出力軸３０１上に第１案内部材３２０及び第１案内部材よりも被写体側に位置する第２案内部材３１０を保持し、  第２案内部材３１０は、駆動手段３００を駆動することで、第２光学部材１１０及び駆動手段３００を光軸方向に案内することを特徴とした。【選択図】  図１
2018141937.tif 000002
【特許請求の範囲】
【請求項１】
駆動手段と、第１光学部材を光軸方向に案内する第１案内部材と、前記駆動手段を保持し前記第１光学部材よりも像面側に位置する第２光学部材を光軸方向に案内する第２案内部材と、前記第２案内部材を保持する保持筒と、を有するレンズ鏡筒であって、
前記駆動手段は、前記駆動手段の出力軸上に前記第１案内部材及び前記第１案内部材よりも被写体側に位置する第２案内部材を保持し、
前記第２案内部材は、前記駆動手段を駆動することで、前記第２光学部材及び前記駆動手段を光軸方向に案内することを特徴とするレンズ鏡筒。
【請求項２】
前記保持筒は、前記第２光学部材と係合している請求項１に記載のレンズ鏡筒。
【請求項３】
前記第１案内部材は、第１リードスクリューであり、前記第２案内部材は、第２リードスクリューであり、前記第１リードスクリューのリード傾き方向と前記第２リードスクリューのリード傾き方向は逆向きである請求項１又は２に記載のレンズ鏡筒。
【請求項４】
前記第１光学部材はフォーカスレンズ又は光量調整部材であり、前記第２光学部材はフォーカスレンズ又は光量調整部材である請求項１乃至３の何れか一項に記載のレンズ鏡筒。
【請求項５】
前記第２光学部材に軸支された第１ガイドバーを備え、
前記第１光学部材は前記第１ガイドバーにより光軸方向に案内される請求項１乃至４の何れか一項に記載のレンズ鏡筒。
【請求項６】
請求項１乃至５の何れか一項に記載のレンズ鏡筒と、撮像素子と、を有する撮像装置。
【発明の詳細な説明】
【技術分野】
【０００１】
本発明は、コンパクトカメラやビデオカメラ等の撮像装置、一眼レフ用の交換レンズを含む光学機器に搭載されるレンズ鏡筒に関するものである。
【背景技術】
【０００２】
従来、光学系を構成する複数の光学部材を光軸に沿って移動させて、またその間隔を変化させることにより、焦点距離の変更を行うようなレンズ鏡筒を搭載した撮影装置が発売されている。
【０００３】
レンズ鏡筒は、光学系を構成する複数の光学部材を光軸に沿って所望の位置に移動させて、またその間隔を変化させることにより、焦点距離の変更を行なっている。
【０００４】
複数の光学部材を光軸に沿って移動させる方式としては大きく分けて２種類ある。
【０００５】
１つ目は、直進筒で回転規制するとともにカム筒に設けられたカム溝のリフトに沿って光軸方向へ直進移動させるものである。
【０００６】
２つ目は、光軸に略平行にガイド軸を配置し、駆動源とリードスクリューの送りを利用して光学部材をガイド軸に沿って直進移動させるものがある。
【０００７】
リードスクリューを用いて移動させるものは構造が簡単なため、沈胴機構を必要としないレンズ鏡筒に多く使用されている。
【０００８】
例えば、特許文献１では、１つの駆動源、駆動源の出力軸上に設けられた複数のリードスクリュー、複数の光学部材を有し、駆動源の動力により複数の光学部材を移動させる駆動装置が開示されている。
【先行技術文献】
【特許文献】
【０００９】
【特許文献１】特開２００８−６１２９５号公報
【発明の概要】
【発明が解決しようとする課題】
【００１０】
しかしながら、上述の特許文献１に開示された従来技術では、それぞれの光学部材に必要な移動量だけリードスクリューの長さが必要になってしまう。
【００１１】
そのため、リードスクリューが長くなってしまい、駆動装置自体が大型化してしまう。
【００１２】
そこで、本発明の目的は、短いリードスクリューで移動量を確保することで駆動装置の小型化を可能にしたレンズ鏡筒を提供することである。
【課題を解決するための手段】
【００１３】
上記目的を達成するために、本発明は、駆動手段と、第１光学部材を光軸方向に案内する第１案内部材と、前記駆動手段を保持し前記第１光学部材よりも像面側に位置する第２光学部材を光軸方向に案内する第２案内部材と、前記第２案内部材を保持する保持筒と、を有するレンズ鏡筒であって、
前記駆動手段は、前記駆動手段の出力軸上に前記第１案内部材及び前記第１案内部材よりも被写体側に位置する第２案内部材を保持し、
前記第２案内部材は、前記駆動手段を駆動することで、前記第２光学部材及び前記駆動手段を光軸方向に案内することを特徴とする。
【発明の効果】
【００１４】
本発明によれば、光学部材の移動量を稼ぐとともに案内部材（例えば、リードスクリュー）を短縮することができるため、レンズ鏡筒を小型化することが可能となる。
【図面の簡単な説明】
【００１５】
【図１】光学部材移動前のレンズ鏡筒の断面図
【図２】光学部材移動後のレンズ鏡筒の断面図
【図３】実施例の移動量の概念図
【図４】従来例の移動量の概念図
【図５】従来例の説明図
【発明を実施するための形態】
【００１６】
以下に、本発明の好ましい実施の形態を、添付の図面に基づいて詳細に説明する。本実施例の撮像装置は、コンパクトカメラやビデオカメラ、等を示す。
【実施例１】
【００１７】
図１は本発明の実施形態にかかわる撮像装置を構成するレンズ鏡筒の光学部材の移動前の断面図である。
【００１８】
図２は本発明の実施形態にかかわる撮像装置を構成するレンズ鏡筒の光学部材の移動後の断面図である。
【００１９】
図３実施例の移動量の概念図、図４は従来例の移動量の概念図、図５は従来例である。
【００２０】
以下、図１〜図２を参照して、本発明の構成について説明する。
【００２１】
（レンズ鏡筒の各部材の説明）
第１光学部材１００は、被写体側に位置する第１レンズ１１０、第２光学部材を直進案内するガイド軸１０２、及び駆動源３００を保持し、直進溝４０１と嵌合する直進キー１０１を有する。
【００２２】
本実施例では、第１光学部材が第１レンズ１１０を保持しているが、光学機能を有する部材であればレンズに限らない。
【００２３】
第２光学部材２００は、像面側に位置する第２レンズ２１０を保持し、ガイド軸と嵌合するガイド穴２０１、第２リードスクリュー３２０と羅合するネジ部２０２を有する。
【００２４】
像面側とは、撮影光学系を通過した光束が結像する撮像素子（光電変換素子）側を意味する。
【００２５】
本実施例では第２光学部材の一部とネジ部２０２が一体となっているが、別部品で構成してもかまわない。
【００２６】
また、第２光学部材２００が第２レンズ２１０を保持しているが、光学機能を有する部材であればレンズに限らない。
【００２７】
駆動源３００は出力軸３０１上にベース４００に設けられたネジ部４０２と羅合する第１リードスクリュー３１０、及び第２光学部材２００に設けられたネジ部２０２と羅合する第２リードスクリュー３２０を保持する。
【００２８】
各リードスクリューの送り量は一致もしくは不一致でもかまわない。
【００２９】
本実施例では第１リードスクリュー３１０、第２リードスクリュー３２０を出力軸３０１と別体に構成しているが、一体に構成されていてもかまわない。
【００３０】
ベース４００は第１光学部材１００の直進キー１０１と嵌合する直進溝４０１、第１リードスクリューと羅合するネジ部４０２を有する。
【００３１】
本実施例では、第１光学部材とカム係合するベース４００とネジ部４０２が一体となっているが、別部品で構成してもかまわない。
【００３２】
第１光学部材１００にガイドバー１０２が軸支されている。
【００３３】
第１光学部材はフォーカスレンズ又は光量調整部材であり、第２光学部材はフォーカスレンズ又は光量調整部材である。
【００３４】
（第１及び第２光学部材の駆動方法、及び移動量の説明）
次に、本実施例における第１及び第２光学部材の駆動方法、及び移動量について図１〜４を用いて説明する。
【００３５】
駆動源３００を駆動すると、第１リードスクリュー３１０及び第２リードスクリュー３２０が出力軸上で任意の方向へ回転する。
【００３６】
第１光学部材１００は、第１リードスクリュー３１０とネジ部４０２が羅合しており、また直進キー１０１と直進溝４０１が嵌合しているため、光軸方向の第１リードスクリュー３１０のリードと駆動源３００の回転量に応じた場所へ直進移動する。
【００３７】
第２光学部材２００は、第２リードスクリュー３２０とネジ部２０２が羅合している。
【００３８】
また、ガイド穴２０１とガイド軸１２０が嵌合しているため、光軸方向の第２リードスクリュー３２０のリードと駆動源３００の回転量に応じた場所へ直進移動する。
【００３９】
また、各スクリューについて詳しく見ると、第１リードスクリュー３１０の巻き方向（リード傾き方向）３１１と第２リードスクリュー３２０の巻き方向（リード傾き方向）３２１が逆であり、またネジ部２０２は第２リードスクリュー３２０と羅合している。
【００４０】
このため、駆動源３００が回転方向３３０の方向へ回転駆動されると第１リードスクリュー３１０と第２リードスクリュー３２０は同時に回転方向３３０の方へ回転する。
【００４１】
ここで、第１光学部材３１０の移動について詳しく見ると、第１リードスクリュー３１０は駆動源３００の出力軸側から見て時計回りにリード３１１が切られており、またネジ部４０２と羅合している。
【００４２】
そのため、駆動源３００が回転方向３３０の方向へ回転駆動されると、第１リードスクリュー３１０はリード３１１と駆動源３００の回転量に応じて、第２リードスクリュー３２０および駆動源３００を矢印３４０の方向へ移動させる。
【００４３】
第１光学部材３１０は、保持筒としてのベース４００に回転規制されているため、第１光学部材３１０はベース４００に対し、駆動源３００と一体に矢印３４０方向へ移動量Ａだけ直進駆動する。
【００４４】
次に、第２光学部材２００の移動について詳しく見ると、第２リードスクリュー３２０は駆動源３００の出力軸側から見て第１リードスクリュー３１０とは逆向きの反時計回りにリード３２１が切られている、また、ネジ部２０２と羅合している。
【００４５】
そのため、駆動源３００が回転方向３３０の方向へ回転駆動されると、第２リードスクリュー３２０はリード３２１と駆動源３００の回転量に応じて、第２光学部材３２０を矢印３４０の方向へ移動させる。
【００４６】
第２光学部材２００はガイドバー１０２により回転規制されているため、第２光学部材３２０は、第１光学部材３１０および駆動源３００に対し、矢印３４０方向へ移動量Ｂだけ直進駆動する。
【００４７】
ここで、前述の通り、駆動源３００も矢印３４０の方向へ移動しているため、第２光学部材２００は移動量Ａと移動量Ｂを合計したＡ＋Ｂだけ光軸方向へ移動する（図３）。
【００４８】
ここで、従来例の概念図を見てみると、駆動源３００ｘには各群の移動量ＣおよびＤに必要な長さを有したリードスクリューがそれぞれ必要である。そのため、リードスクリューの全長は長くなってしまい、駆動装置が大型化してしまう（図４）。
【００４９】
本実施例では、第１光学部材１００と駆動源３００を第１リードスクリュー３１０の送りを利用して一体に光軸方向へ移動させる。
【００５０】
よって、第２光学部材２００の移動量を第１リードスクリュー３１０と第２リードスクリュー３２０で補う事が可能となる。
【００５１】
そのため、第２リードスクリュー３２０の長さを短くしても、第２光学部材の移動量を稼ぐことが可能となる。
【００５２】
さらに、第２リードスクリュー３２０を短くすることで、駆動装置を小型化することが可能となる。
【００５３】
また、本実施例では第１リードスクリュー３１０と第２リードスクリュー３２０の巻き方向３１１、３２１を逆方向とし、第２光学部材２００の送り量を確保する構成となっている。
【００５４】
スクリューの巻き方向を同一方向にし、また送り量を変更することで、第２光学部材２００の移動量及び移動方向を任意に変更することが可能となる。
【００５５】
また、ベース部材４００を直進筒（不図示）及びカム筒（不図示）によりカム係合することで、駆動装置全体を任意の位置へ進退可能となる。
【００５６】
カム係合とは、一方がカムピン、他方がカム溝による形態を意味する。ベース部材４００にカムピンが形成され、カム筒（不図示）にカム溝が形成される例が考えられる。
【００５７】
本実施例では第１案内部材としてリードスクリュー３２０、第２案内部材としてリードスクリュー３１０を用いている。各案内部材を回転させることで第１光学部材２１０および第２光学部材１１０を光軸方向へ移動可能であれば、送りねじ方式、円筒カム方式など、駆動方式はリードスクリュー方式に限らない。
【００５８】
以上、本発明の好ましい実施形態について説明したが、本発明はこれらの実施形態に限定されず、その要旨の範囲内で種々の変形及び変更が可能である。
【符号の説明】
【００５９】
００１  光軸
１００  第１光学部材
１０１  直進キー
１１０  第１レンズ
１２０  ガイド軸
２００  第２光学部材
２０１  ガイド穴
２０２  ネジ部
２１０  第２レンズ
３００  駆動源
３０１  出力軸
３１０  第１リードスクリュー
３１１  リード
３２０  第２リードスクリュー
３２１  リード
３３０  回転方向
３４０  移動方向
４００  ベース
４０１  直進溝
４０２  ネジ部
【図１】
2018141937.tif 000003
【図２】
2018141937.tif 000004
【図３】
2018141937.tif 000005
【図４】
2018141937.tif 000006
【図５】
2018141937.tif 000007